【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
着用者の前後方向に対応する縦方向とこれに直交する横方向とを有し、液保持性の吸収性コアと、該吸収性コアの肌対向面に接触するコアラップシートとを具備し、該コアラップシートの肌対向面側に、該コアラップシートに近い順に表面シート、吸汗シートが配された吸収性物品であって、
前記吸汗シートは、その一部が前記表面シートと接触可能に対向配置されており、
前記表面シートの液拡散性は、前記吸汗シートの液拡散性に比して低く、且つ前記コアラップシートの液拡散性に比して低い吸収性物品。
【請求項２】
前記コアラップシートは、前記吸汗シートに比して、液拡散面積が大きい請求項１に記載の吸収性物品。
【請求項３】
前記吸収性物品は、着用時に着用者の胴周りに配される胴周り部を具備し、該胴周り部に、前記吸汗シート、前記表面シート、前記コアラップシート及び前記吸収性コアが配されていると共に、弾性部材が横方向に伸長状態で配されており、
前記吸汗シートは、前記胴周り部に、前記表面シートの縦方向端から縦方向外方に延出する縦外方延出部を有しており、
前記胴周り部において、前記吸汗シートと前記表面シートとが縦方向において同位置にある領域を領域Ａ、該吸汗シートの前記縦外方延出部と縦方向において同位置にある領域を領域Ｂとした場合、該領域Ａは、該領域Ｂに比して、横方向の伸長応力が大きい請求項１又は２に記載の吸収性物品。
【請求項４】
前記胴周り部は、着用時に着用者の腹側に配される腹側部と背側に配される背側部とに区分され、該腹側部及び該背側部それぞれの前記領域Ａの横方向中央部に前記表面シートが配され、前記吸汗シートが、該領域Ａの横方向中央部及びその両側部にわたって横方向に延在しており、
前記吸汗シートと前記表面シートとが厚み方向で重なる前記領域Ａの横方向中央部は、該領域Ａの横方向両側部に比して、横方向の伸縮性が低い請求項３に記載の吸収性物品。
【請求項５】
前記吸汗シートは、前記表面シートと接触可能に対向配置された部分にて、該表面シートと接合されている請求項１〜４のいずれか１項に記載の吸収性物品。
【請求項６】
前記吸汗シートと前記表面シートとの前記接合が、部分的な接合である請求項５に記載の吸収性物品。
【請求項７】
前記吸汗シートと前記表面シートとの重なり部分の総面積に占める、両シートどうしの接合部の総面積の割合が、２０％以下である請求項６に記載の吸収性物品。
【請求項８】
前記吸汗シートは、肌対向面側が非肌対向面側に比して親水度が低い請求項１〜７のいずれか１項に記載の吸収性物品。
【請求項９】
前記表面シートは、肌対向面側に凹凸形状を有し、該凹凸形状の凸部にて前記吸汗シートと接触可能になされている請求項１〜８のいずれか１項に記載の吸収性物品。
【請求項１０】
前記表面シートの前記凹凸形状が、該表面シートの肌対向面の全域に複数の凸部が散点状に配され、且つ各該凸部の周囲が凹部となっている形状である請求項９に記載の吸収性物品。
【請求項１１】
前記表面シートの前記凸部と前記吸汗シートとが接合されている請求項９又は１０に記載の吸収性物品。
【請求項１２】
前記領域Ａの横方向の伸長応力と前記領域Ｂの横方向の伸長応力との比率が、領域Ａ＞領域Ｂを前提として、領域Ａ／領域Ｂとして、１．０５以上２．５以下である請求項３又は４に記載の吸収性物品。
【請求項１３】
前記領域Ａの横方向の伸長応力が、０．０４Ｎ／ｍｍ以上０．１２Ｎ／ｍｍ以下である請求項３、４及び１２のいずれか１項に記載の吸収性物品。
【請求項１４】
前記領域Ｂの横方向の伸長応力が、０．０２Ｎ／ｍｍ以上０．１０Ｎ／ｍｍ以下である請求項３、４、１２及び１３のいずれか１項に記載の吸収性物品。
【請求項１５】
前記吸汗シートと前記表面シートとが厚み方向で重なる領域Ａ１において、両シート間に疎水性シートが介在配置され、該吸汗シートは、該疎水性シートの縦方向内方端から縦方向内方に延出する縦内方延出部を有し、該縦内方延出部が、前記表面シートと接触可能に対向配置されている請求項１〜１４のいずれか１項に記載の吸収性物品。
【請求項１６】
前記吸汗シートと前記疎水性シートとが縦方向において同位置にある領域Ａ２は、該吸汗シートの前記縦内方延出部と縦方向において同位置にある領域Ａ３に比して、横方向の伸長応力が大きい請求項１５に記載の吸収性物品。
【請求項１７】
前記領域Ａ２の横方向の伸長応力と前記領域Ａ３の横方向の伸長応力との比率が、領域Ａ２＞領域Ａ３を前提として、領域Ａ２／領域Ａ３として、１．０３以上２．５以下である請求項１６に記載の吸収性物品。
【請求項１８】
前記領域Ａ２の横方向の伸長応力が、０．０４Ｎ／ｍｍ以上０．１２Ｎ／ｍｍ以下である請求項１６又は１７に記載の吸収性物品。
【請求項１９】
前記領域Ａ３の横方向の伸長応力が、０．０２Ｎ／ｍｍ以上０．１０Ｎ／ｍｍ以下である請求項１６〜１８のいずれか１項に記載の吸収性物品。
【請求項２０】
前記領域Ａ２が横方向に伸縮性を有している請求項１６〜１９のいずれか１項に記載の吸収性物品。
【請求項２１】
前記表面シートは、前記コアラップシートに比して、繊維間距離が長い請求項１〜２０のいずれか１項に記載の吸収性物品。
【請求項２２】
前記表面シートは、前記吸汗シートに比して、繊維間距離が長い請求項１〜２１のいずれか１項に記載の吸収性物品。
【請求項２３】
前記表面シートの繊維間距離と前記吸汗シートの繊維間距離との比率が、前者＞後者を前提として、前者／後者として、１．５以上１０以下である請求項１〜２２のいずれか１項に記載の吸収性物品。
【請求項２４】
前記表面シートは、前記吸汗シートに比して、繊維密度が低い請求項１〜２３のいずれか１項に記載の吸収性物品。
【請求項２５】
前記吸汗シートの構成繊維の繊維配向と前記表面シートの構成繊維の繊維配向とが互いに交差している請求項１〜２４のいずれか１項に記載の吸収性物品。
【手続補正２】
【補正対象書類名】明細書
【補正対象項目名】００４５
【補正方法】変更
【補正の内容】
【００４５】
また同様の観点から、表面シート２１は、吸汗シート１０に比して、繊維間距離が長い（繊維密度が低い）ことが好ましい。斯かる構成の採用により、繊維間距離に関して「表面シート２１＞吸汗シート１０」なる大小関係が成立するか、又は繊維密度に関して「表面シート２１＜吸汗シート１０」なる大小関係が成立することにより、液拡散性に関して「表面シート２１＜吸汗シート１０」なる大小関係が成立し、これにより、発汗時には、より拡散性の高い吸汗シート１０において汗が拡散蒸発する一方で、発汗が多量の場合には、吸汗シート１０の吸収容量以上の汗が表面シート２１に移行するようになり、おむつ１に吸汗し続けられる性能が付与される。繊維間距離は、下記方法により測定される。
【手続補正３】
【補正対象書類名】明細書
【補正対象項目名】００６９
【補正方法】変更
【補正の内容】
【００６９】
おむつ１においては前述した通り、着用時に着用者の胴周りに配される胴周り部である腹側部Ｆ及び背側部Ｒに、吸汗シート１０、表面シート２１、コアラップシート２５及び吸収性コア２４が配されていると共に、胴周り弾性部材３３が横方向Ｙに伸長状態で配されており、腹側部Ｆ及び背側部Ｒそれぞれが全体として横方向Ｙに伸縮性を有しているところ、この伸縮性と密接に関連する、横方向Ｙの伸長応力を工夫することによって、おむつ１の吸汗性を向上させることが可能である。